(57)【要約】      （修正有）【課題】様々な電子機器への接続を可能にし、変換アダプタの種類及び数が多様化され、適応性が向上する、アダプタを提供する。【解決手段】アダプタは、ベース１と、ベース１に設けられ、ベース１をカバーするための上蓋２と、ベース１内に設けられた制御板と、外部電子機器に接続するための変換アダプタ４と、変換アダプタ４と制御板を接続する導体５と、制御板にそれぞれ電気的に接続された複数の変換インターフェースと、を備え、変換アダプタ４は、導体５に接続された第１プラグ４１と、導体５に接続された第２プラグ４２と、導体５に接続された第３プラグ４３と、を備える。【選択図】図１
0003235405.tif 000002
【実用新案登録請求の範囲】
【請求項１】
ベースと、前記ベースに設けられ、前記ベースをカバーするための上蓋と、前記ベース内に設けられた制御板と、外部電子機器に接続するための変換アダプタと、前記変換アダプタと前記制御板を接続する導体と、前記制御板にそれぞれ電気的に接続された複数の変換インターフェースと、を備え、前記変換アダプタは、前記導体に接続された第１プラグと、前記導体に接続された第２プラグと、前記導体に接続された第３プラグと、を備えることを特徴とするアダプタ。
【請求項２】
前記ベースには前記変換アダプタを収容するためのカードスロットが設けられることを特徴とする請求項１に記載のアダプタ。
【請求項３】
前記カードスロットに磁気ストライプが設けられ、前記第１プラグには前記磁気ストライプに磁気的に接続された第１導磁片が対応して設けられ、前記第２プラグには前記磁気ストライプに磁気的に接続された第２導磁片が対応して設けられ、前記第３プラグには前記磁気ストライプに磁気的に接続された第３導磁片が対応して設けられることを特徴とする請求項２に記載のアダプタ。
【請求項４】
前記上蓋の前記ベースの底面に向かう方向には電子機器を支持するための溝が突設されることを特徴とする請求項１に記載のアダプタ。
【請求項５】
前記溝の側壁には複数のネジ孔が等間隔に配置され、前記ベースの前記ネジ孔のそれぞれに対応する位置には取り付け孔が開設され、前記アダプタは前記上蓋を前記ベースに取り付けるための複数のネジをさらに備え、それぞれの前記ネジは対応する前記取り付け孔を貫通し、対応する前記ネジ孔に螺合されることを特徴とする請求項４に記載のアダプタ。
【請求項６】
前記アダプタは前記ベース内に設けられたメモリをさらに備え、前記メモリは前記制御板に電気的に接続されることを特徴とする請求項１に記載のアダプタ。
【請求項７】
前記ベースの前記メモリに対応する位置には開孔が開設され、前記開孔内には前記ベースに着脱可能に接続されたカードプレートが設けられることを特徴とする請求項６に記載のアダプタ。
【請求項８】
前記ベースの前記上蓋から乖離する側面には複数の滑り止めゴムパッドが等間隔に配置されることを特徴とする請求項１〜７のいずれか一項に記載のアダプタ。
【請求項９】
前記ベースに灯孔が開設され、前記灯孔内にパイロットランプが設けられ、前記パイロットランプは前記制御板に電気的に接続されることを特徴とする請求項１〜７のいずれか一項に記載のアダプタ。
【請求項１０】
前記ベースは角形を呈し、複数の第１丸コーナーを有し、前記上蓋には対応する前記第１丸コーナーに適合された複数の第２丸コーナーが設けられることを特徴とする請求項１〜７のいずれか一項に記載のアダプタ。
【考案の詳細な説明】
【技術分野】
【０００１】
本考案は電子機器の技術分野に適用され、具体的には、アダプタに関する。
【背景技術】
【０００２】
アダプタは、別個のハードウェアインターフェースデバイスとして、ハードウェア又は電子インターフェースから他のハードウェア又は電子インターフェースへの接続を可能にし、電子機器間の信号転送を実現するインターフェース変換装置である。
【考案の概要】
【考案が解決しようとする課題】
【０００３】
現在、アダプタと外部電子機器との接続は、アダプタ上の変換アダプタを電子機器のインターフェースに挿入することによって完成することが多い。しかしながら、アダプタの変換アダプタの種類と数は単一で設計されており、その結果、変換アダプタは電子機器上の特定のインターフェースにしか接続できず、アダプタの使用が大きく制限され、適応性がよくない。
【０００４】
本考案はアダプタを提供し、従来技術における変換アダプタの種類および数が単一で、アダプタの適応性がよくないという問題を解決することを目的とする。
【課題を解決するための手段】
【０００５】
上記目的を達成するために、本考案は次のような技術的解決手段を採用する：アダプタを提供し、ベースと、前記ベースに設けられ、前記ベースをカバーするための上蓋と、前記ベース内に設けられた制御板と、外部電子機器に接続するための変換アダプタと、前記変換アダプタと前記制御板を接続する導体と、前記制御板にそれぞれ電気的に接続された複数の変換インターフェースと、を備え、前記変換アダプタは、前記導体に接続された第１プラグと、前記導体に接続された第２プラグと、前記導体に接続された第３プラグと、を備える。
【０００６】
さらに、前記ベースには前記変換アダプタを収容するためのカードスロットが設けられる。
【０００７】
さらに、前記カードスロットに磁気ストライプが設けられ、前記第１プラグには前記磁気ストライプに磁気的に接続された第１導磁片が対応して設けられ、前記第２プラグには前記磁気ストライプに磁気的に接続された第２導磁片が対応して設けられ、前記第３プラグには前記磁気ストライプに磁気的に接続された第３導磁片が対応して設けられる。
【０００８】
さらに、前記上蓋の前記ベースの底面に向かう方向には電子機器を支持するための溝が突設される。
【０００９】
さらに、前記溝の側壁には複数のネジ孔が等間隔に配置され、前記ベースの前記ネジ孔のそれぞれに対応する位置には取り付け孔が開設され、前記アダプタは前記上蓋を前記ベースに取り付けるための複数のネジをさらに備え、それぞれの前記ネジは対応する前記取り付け孔を貫通し、対応する前記ネジ孔に螺合される。
【００１０】
さらに、前記アダプタは前記ベース内に設けられたメモリをさらに備え、前記メモリは前記制御板に電気的に接続される。
【００１１】
さらに、前記ベースの前記メモリに対応する位置には開孔が開設され、前記開孔内には前記ベースに着脱可能に接続されたカードプレートが設けられる。
【００１２】
さらに、前記ベースの前記上蓋から乖離する側面には複数の滑り止めゴムパッドが等間隔に配置される。
【００１３】
さらに、前記ベースに灯孔が開設され、前記灯孔内にパイロットランプが設けられ、前記パイロットランプは前記制御板に電気的に接続される。
【００１４】
さらに、前記ベースは角形を呈し、複数の第１丸コーナーを有し、前記上蓋には対応する前記第１丸コーナーと嵌め合うように複数の第２丸コーナーが設けられる。
【考案の効果】
【００１５】
本考案では、導体を介して変換アダプタを制御板に接続し、変換アダプタは第１プラグ、第２プラグ及び第３プラグに分けられ、第１プラグ、第２プラグ及び第３プラグはそれぞれ外部電子機器上の異なるインターフェースに挿入することができるので、様々な電子機器へのアダプタの接続を可能にし、変換アダプタの種類及び数が多様化され、アダプタの適応性を向上する。
【００１６】
本考案の実施例における技術的解決手段をより明確に説明するために、以下、実施例又は従来技術の説明において用いられる図面を簡単に紹介し、当然のことながら、以下の説明における図面は、本考案のいくつかの実施例に過ぎず、当業者であれば、創造的努力を要せずに、これらの図面に基づく他の図面を得ることができる。
【図面の簡単な説明】
【００１７】
【図１】本考案の実施例によるアダプタを展開した構造概略図である。
【図２】本考案の実施例によるアダプタを閉じた正面図である
【図３】本考案の実施例によるアダプタを閉じた側面図１である。
【図４】本考案の実施例によるアダプタを閉じた側面図２である。
【図５】本考案の実施例によるアダプタを閉じた背面図である。
【図６】本考案の実施例によるアダプタの一部の構造を示す概略図である。
【考案を実施するための形態】
【００１８】
本考案が解決しようとする技術的課題、技術的解決手段及び有益な効果をより明らかにするために、以下、図面及び実施例を参照しながら本考案をより詳細に説明する。ここで説明される具体的な実施例は本考案を解釈するためのものに過ぎず、本考案を限定するためのものではないことを理解すべきである。
【００１９】
なお、ある要素が別の要素に「固定」又は「設定」されると言われている場合、それは別の要素に直接的又は間接的に位置すべきである。ある要素が別の要素に「接続」されると言われている場合、それは別の要素に直接的又は間接的に接続すべきである。
【００２０】
なお、「第１」、「第２」、「第３」、「第４」、「第５」、「第６」という用語は説明するためのものに過ぎず、相対的な重要度を指示や示唆するもの、或いは指示される技術的特徴の数を暗示的に表示するものとして理解できない。そこで、「第１」、「第２」、「第３」、「第４」、「第５」、「第６」に制限される特徴は、一つ又は複数の当該特徴を明示的や暗示的に含むことができる。本考案の説明において、特に制限されていない限り、「複数」は２つ以上を意味する。
【００２１】
なお、本考案の説明において、「中心」、「長さ」、「幅」、「厚さ」、「上」、「下」、「前」、「後」、「左」、「右」、「鉛直」、「水平」、「頂」、「底」、「内」、「外」などの用語によって指示される方位又は位置関係は、図面に示された方位又は位置関係に基づき、本考案を簡略化するためのものに過ぎず、言及された装置又は要素が特定の方位を有し、特定の方位で構築及び操作しなければならないことを指示や示唆するものではないので、本考案を制限するものと解釈されるべきではない。
【００２２】
なお、本考案の説明において、「取り付け」、「接続」という用語は別途の規定や限定がない限り、広義に理解されるべきであり、例えば、固定接続されてもよく、着脱可能に接続又は一体に接続されてもよいが、機械的に接続されてもよく、電気的に接続されてもよいが、直接的に接続されてもよく、中間媒体を介して間接的に接続されてもよいが、両要素の内部接通又は両要素の相互作用関係であってもよい。当業者であれば、場合によって本考案における上記用語の具体的な意味を理解することができる。
【００２３】
図１から図６を参照し、本考案の実施例によるアダプタを説明する。当該アダプタは、ベース１と、ベース１に設けられ、当該ベース１をカバーするための上蓋２と、を備え、ベース１と上蓋２の間に収容室が形成され、アダプタは、当該収容室内に設けられた制御板（図示せず）と、外部電子機器に接続するための変換アダプタ４と、変換アダプタ４と制御板を電気的に接続する導体５と、制御板にそれぞれ電気的に接続された複数の変換インターフェースと、をさらに備える。
【００２４】
上記変換アダプタ４は、導体５に電気的に接続された第１プラグ４１と、導体５に電気的に接続された第２プラグ４２と、導体５に電気的に接続された第３プラグ４３と、を備える。
【００２５】
選択的に、第１プラグ４１は、Ｃ型プラグ、ＡｐｐｌｅＬｉｇｈｔｉｎｇプラグ、Ｍｉｃｒｏ−ＵＳＢプラグなどとすることができるが、これらに制限されない。
【００２６】
同様に、第２プラグ４２は、Ｃ型プラグ、ＡｐｐｌｅＬｉｇｈｔｉｎｇプラグ、Ｍｉｃｒｏ−ＵＳＢプラグなどとすることができるが、これらに制限されない。
【００２７】
同様に、第３プラグ４３は、Ｃ型プラグ、ＡｐｐｌｅＬｉｇｈｔｉｎｇプラグ、Ｍｉｃｒｏ−ＵＳＢプラグなどとすることができるが、これらに制限されない。
【００２８】
上記導体５は導線又は導電性シートを絶縁層で包んだ導電性シートなどとすることができるが、これらに制限されない。
【００２９】
本考案に係るアダプタは、従来技術と比べて、本考案では、導体５を介して変換アダプタを制御板に接続し、変換アダプタ４は第１プラグ４１、第２プラグ４２及び第３プラグ４３に分けられ、第１プラグ４１、第２プラグ４２及び第３プラグ４３はそれぞれ外部電子機器上の異なるインターフェースに挿入することができるので、様々な電子機器へのアダプタの接続を可能にし、変換アダプタ４の種類と数が多様化され、アダプタの適応性を向上する。
【００３０】
さらに、図５を参照し、本考案の実施例によるアダプタの一実施形態として、ベース１には変換アダプタ４を収容するためのカードスロット１３が設けられる。この構造によれば、導体５が屈曲された後、変換アダプタ４を当該カードスロット１３内に配置することができ、アダプタを閉じた構造の安定性をさらに向上させる。
【００３１】
さらに、図５を参照し、本考案の実施例によるアダプタの一実施形態として、カードスロット１３には磁気ストライプ（図示せず）が設けられ、第１プラグ４１には磁気ストライプに磁気的に接続された第１導磁片（図示せず）が対応して設けられ、第２プラグ４２には磁気ストライプに磁気的に接続された第２導磁片（図示せず）が対応して設けられ、第３プラグ４３には磁気ストライプに磁気的に接続された第３導磁片（図示せず）が対応して設けられる。この構造により、磁気接続によって、第１プラグ４１、第２プラグ４２及び第３プラグ４３の迅速な着脱を容易にする。他の実施例では、第１プラグ４１、第２プラグ４２及び第３プラグ４３は他の手段によってカードスロット１３内に配置することもでき、ここで唯一に制限されない。
【００３２】
さらに、図１及び図２を参照し、本考案の実施例によるアダプタの一実施形態として、上蓋２のベース１の底面に向かう方向には電子機器を支持するための溝２１が突設される。好ましくは、当該溝２１は椀状を呈し、ここで唯一に制限されない。
【００３３】
アップル社の最新のＭａｃ  Ｍｉｎｉが世界を席巻するにつれ、このＭａｃ  Ｍｉｎｉという電子製品に適用されるアダプタも生まれてきた。アダプタの構造やサイズが小さく設計されており、Ｍａｃ  Ｍｉｎｉに外部接続される場合、Ｍａｃ  Ｍｉｎｉを効果的に支持することができないので、Ｍａｃ  Ｍｉｎｉは通常は平面上に置かれ、平面上の液体がＭａｃ  Ｍｉｎｉに流れ込み、よってＭａｃ  Ｍｉｎｉに深刻な影響を与え、また、Ｍａｃ  Ｍｉｎｉの底部に円形突起部があり、水平面に置かれた場合の安定性がよくない。この構造により、上蓋２に溝２１が設けられ、当該溝２１が電子機器を効果的に支持でき、特にＭａｃ  Ｍｉｎｉの場合、Ｍａｃ  Ｍｉｎｉの底部に円形突起部があり、溝２１を椀状に設定することで、当該円形突起部と良く嵌合し、さらにＭａｃ  Ｍｉｎｉを安定に支持することができる。
【００３４】
さらに、図６を参照し、本考案の実施例によるアダプタの一実施形態として、溝２１の側壁には複数のネジ孔２１０が等間隔に形成され、ベース１のネジ孔２１０のそれぞれに対応する位置には取り付け孔１０が開設され、アダプタは上蓋２をベース１に取り付けるための複数のネジ６をさらに備え、それぞれのネジ６は対応する取り付け孔１０を貫通し、対応するネジ孔２１０に螺合される。この構造により、上蓋２とベース１とはネジ６によって接続して固定されているため、上蓋２とベース１との迅速な着脱を実現しやすく、アダプタの保守が容易になる。なお、Ｍａｃ  Ｍｉｎｉの円形突起部にはネジ６孔が対応して開設され、ネジ６は対応する取り付け孔１０及び対応するネジ孔２１０を貫通し、対応するネジ６孔に嵌合して固定することができるので、Ｍａｃ  Ｍｉｎｉを効果的に固定し、また、Ｍａｃ  Ｍｉｎｉとアダプタを一体にすることができ、持ち運びやすい。
【００３５】
選択的に、上蓋２の周囲に複数のバックルが設けられ、ベース１には対応するバックルと係合する係合部が設けられ、上蓋２とベース１とを係合させることができる。他の実施例では、上蓋２はまた、接着、溶接などの他の手段によってベース１に接続することができ、ここで唯一に制限されない。
【００３６】
さらに、図５を参照し、本考案の実施例によるアダプタの一実施形態として、アダプタはベース１に設けられたメモリ（図示せず）をさらに備え、メモリは制御板に電気的に接続される。具体的には、当該メモリはソリッドステートドライブ（Ｓｏｌｉｄ  Ｓｔａｔｅ  Ｄｉｓｋ、ＳＳＤと略される）であってよく、メモリは制御板に差し込まれる。この構造により、メモリを設定することで、アダプタの記憶機能を増加することができ、アダプタは信号転送の機能を有するだけでなく、ＵＳＢメモリなどのデバイスと同様の記憶機能も有することにより、アダプタの使用機能を向上させる。
【００３７】
さらに、図５を参照し、本考案の実施例によるアダプタの一実施形態として、ベース１のメモリに対応する位置には開孔（図示せず）が開設され、開孔内にはベース１に着脱可能に接続されたカードプレート１２が設けられる。この構造により、カードプレート１２とベース１との係合によって、カードプレート１２の迅速な着脱を実現でき、カードプレート１２はメモリの位置に対応しており、カードプレート１２を取り外した後、メモリを容易に着脱することができる。
【００３８】
さらに、図５を参照し、本考案の実施例によるアダプタの一実施形態として、ベース１の上蓋２から乖離する側面には複数の滑り止めゴムパッド１１が等間隔に配置される。この構造により、複数の滑り止めゴムパッド１１は滑り止め効果が得られる一方で、ベース１を平面から間隔で配置し、平面上の液体がアダプタ又は電子機器に流れ込むことを防止し、よって、アダプタ又は電子機器の安全性及び信頼性を向上させる。
【００３９】
さらに、図１及び図４を参照し、本考案の実施例によるアダプタの一実施形態として、ベース１に灯孔（図示せず）が開設され、灯孔内にパイロットランプ３７が設けられ、パイロットランプ３７は制御板に電気的に接続される。この構造により、パイロットランプ３７はアダプタの作動状態を表示するために用いられる。パイロットランプ３７が点灯しているときは、アダプタが正常に作動していることを示し、パイロットランプ３７が消灯しているときは、アダプタが作動していないことを示す。
【００４０】
さらに、図１を参照し、本考案の実施例によるアダプタの一実施形態として、ベース１は角形を呈し、複数の第１丸コーナー１４を有し、上蓋２には対応する第１丸コーナー１４に適合された複数の第２丸コーナー２２が設けられる。具体的には、ベース１は角形構造を呈し、４つの第１丸コーナー１４を有し、その上端は開口とし、上蓋２はベース１と嵌め合うように当該開口をカバーすることができ、上蓋２は対応する第１丸コーナー１４に適合された第２丸コーナー２２を有する。この構造によれば、アダプタの構成が電子機器、特にＭａｃ  Ｍｉｎｉのサイズに適合し、アダプタがＭａｃ  Ｍｉｎｉを支持し、美観で上品であり、また、アダプタは、直角による利用者を傷つけることを防ぎ、使用の安全性を向上させるために丸められている。
【００４１】
さらに、図３を参照し、本考案の実施例によるアダプタの一実施形態として、変換インターフェースは制御板に電気的に接続された第１ポート３１を備え、ベース１には第１ポート３１を支持するための第１端子孔（図示せず）が対応して設けられる。具体的には、当該第１端子孔と貫通孔とがベース１の同一の側面に位置し、第１ポート３１は制御板に直接的に配置される。好ましくは、当該第１ポート３１はＣ型インターフェースであり、ここで唯一に制限されない。この構造により、第１ポート３１の一端が制御板に設けられ、他端が第１端子孔内に延在し、これにより、第１ポート３１は安定して設置され、しかも第１端子孔を介して外部電子機器と接続することができる。
【００４２】
さらに、図１及び図４を参照し、本考案の実施例によるアダプタの一実施形態として、変換インターフェースは制御板に電気的に接続された第２ポート３２をさらに備え、ベース１には第２ポート３２を支持するための第２端子孔（図示せず）が対応して設けられる。具体的には、第２ポート３２は制御板に直接的に配置される。好ましくは、当該第２ポート３２はＳＤカード（Ｓｅｃｕｒｅ  Ｄｉｇｉｔａｌ  Ｃａｒｄ）を挿入するためのＳＤカード用インターフェースであり、ここで唯一に制限されない。この構造により、第２ポート３２の一端が制御板に設けられ、他端が第２端子孔内に延在し、これにより、第２ポート３２は安定して設置され、しかも第２端子孔を介して外部電子機器と接続することができる。
【００４３】
さらに、図１及び図４を参照し、本考案の実施例によるアダプタの一実施形態として、変換インターフェースは制御板に電気的に接続された第３ポート３３をさらに備え、ベース１には第３ポート３３を支持するための第３端子孔（図示せず）が対応して設けられる。具体的には、当該第３端子孔と第２端子孔とがベース１の同一の側面に位置し、第３ポート３３が制御板に直接的に配置される。好ましくは、当該第３ポート３３はＴＦカード（Ｔ−Ｆｌａｓｈ  Ｃａｒｄ、マイクロＳＤカード）を挿入するためのＴＦカード用インターフェースであり、ここで唯一に制限されない。この構造により、第３ポート３３の一端が制御板に設けられ、他端が第３端子孔内に延在し、これにより、第３ポート３３は安定して設置され、しかも第３端子孔を介して外部電子機器と接続することができる。
【００４４】
さらに、図１及び図４を参照し、本考案の実施例によるアダプタの一実施形態として、変換インターフェースは制御板に電気的に接続された第４ポート３４をさらに備え、ベース１には第４ポート３４を支持するための第４端子孔（図示せず）が対応して設けられる。具体的には、当該第４端子孔と第２端子孔とがベース１の同一の側面に位置し、第４ポート３４が制御板に直接的に配置される。好ましくは、当該第４ポート３４はヘッドホンに接続するためのヘッドホン用インターフェースであり、ここで唯一に制限されない。この構造により、第４ポート３４の一端が制御板に設けられ、他端が第４端子孔内に延在し、これにより、第４ポート３４は安定して設置され、しかも第４端子孔を介して外部電子機器と接続することができる。
【００４５】
さらに、図１及び図４を参照し、本考案の実施例によるアダプタの一実施形態として、変換インターフェースは制御板に電気的に接続された第５ポート３５をさらに備え、ベース１には第５ポート３５を支持するための第５端子孔（図示せず）が対応して設けられる。具体的には、当該第５端子孔と第２端子孔とがベース１の同一の側面に位置し、第５ポート３５が制御板に直接的に配置される。好ましくは、当該第５ポート３５はＵＳＢ３．０インターフェースであり、ここで唯一に制限されない。この構造によれば、第５ポート３５の一端が制御板に設けられ、他端が第５端子孔内に延在し、これにより、第５ポート３５は安定して設置され、しかも第５端子孔を介して外部電子機器と接続することができる。
【００４６】
さらに、図１及び図４を参照し、本考案の実施例によるアダプタの一実施形態として、変換インターフェースは制御板に電気的に接続された第６ポート３６をさらに備え、ベース１には第６ポート３６を支持するための第６端子孔（図示せず）が対応して設けられる。具体的には、当該第６端子孔と第２端子孔とがベース１の同一の側面に位置し、第６ポート３６が制御板に直接的に配置される。好ましくは、当該第６ポート３６はＣ型インターフェースであり、ここで唯一に制限されない。この構造により、第６ポート３６の一端が制御板に設けられ、他端が第６端子孔内に延在し、これにより、第６ポート３６は安定して設置され、しかも第６端子孔を介して外部電子機器と接続することができる。
【００４７】
上記は本考案の好ましい実施例に過ぎず、本考案を制限するためのものではなく、本考案の精神及び原則においてなされたあらゆる変更、均等な置換及び改良等は、本考案の保護範囲に含まれる。
【符号の説明】
【００４８】
１    ベース
１０  取り付け孔
１１  滑り止めゴムパッド
１２  カードプレート
１３  カードスロット
１４  第１丸コーナー；
２  上蓋
２１  溝
２１０  ネジ孔
２２  第２丸コーナー
３１  第１ポート
３２  第２ポート
３３  第３ポート
３４  第４ポート
３５  第５ポート
３６  第６ポート
３７  パイロットランプ
４  変換アダプタ
４１  第１プラグ
４２  第２プラグ
４３  第３プラグ
５  導体
６  ネジ
【図１】
0003235405.tif 000003
【図２】
0003235405.tif 000004
【図３】
0003235405.tif 000005
【図４】
0003235405.tif 000006
【図５】
0003235405.tif 000007
【図６】
0003235405.tif 000008